(57)【要約】      （修正有）【課題】不燃シートの左右両端に皺の補整装置を設け、皺のないシートを補整する補整装置を提供する。【解決手段】天井面に天井レール１を設け、この両端部からテンションカバー２、２´を設け、前記レール内には、不燃シート３の上端を挟持・固定するシート固定具を設け、前記両カバー内には、それぞれ、テンションバー５の収容が可能な空間を画し、躯体Ｘ側にガイド溝を設け、前記両カバーが、それぞれ向かい合う側に、スリットを形成し、前記両ガイド溝に、ドリルビスＤで、前記カバーを躯体に固定し、前記両ガイド溝に複数個のボルトを遊嵌着し、末端部は、前記バーの一端側にナットで締付け、該バーの他端側には、シートの側端を、シート押さえを介してネジで挟持・固定し、前記ナットの締付は、シートに発生した皺を見て、両側の前記バーの複数個のボルトのいずれかのボルトを緊張・弛緩させ、皺に変化を探り、締付具合を調整して皺を補整する。【選択図】図１
0003216129.tif 000002
【実用新案登録請求の範囲】
【請求項１】
防煙垂壁の設置箇所に、天井面に固定する，天井レール（１）を設け、該天井レールの両端部付近からそれぞれ向かい合った一対の略筒状のテンションカバー（２）、（２´）を設け、
前記天井レール（１）内には、高透明の不燃シート（３）の上端を、挟持・固定するシート固定具（４）を設け、
前記両テンションカバー（２）（２´）内には、それぞれ、テンションバー（５）（５´）の収容が可能な空間を画し、且つ、それぞれ躯体（Ｘ）側にガイド溝（５ａ）を設け、
前記両テンションカバー（２）（２´）が、それぞれ向かい合う側に、部分的に開いたスリット（２ａ）を形成し、
前記両ガイド溝（５ａ）に、ドリルビス（Ｄ）を用い、両テンションカバー（２）（２´）をそれぞれ躯体（Ｘ）に固定し、且つ、前記両ガイド溝に複数個のボルト（Ｖ）の頭部（Ｖａ）を遊嵌着させ、該ボルトの末端部は、テンションバー（５）（５´）の一端側に形成したボルト穴（５ｂ）を挿通してナット（Ｎ）で締付け、
テンションバー（５）（５´）の他端側には、不燃シート（３）の側端を、シート押さえ（５ｄ）を介してネジ（Ｓ）で挟持・固定し、
前記ナット（Ｎ）の締付具合は、不燃シート（３）に発生した皺を見て、両側のテンションバー（５）（５´）の複数個のボルト（Ｖ）のうち、いずれかのボルトを緊張、あるいは弛緩させ、皺の変化を探り、締付具合を調整して皺を補整する
ことを特徴とするシート状防煙垂壁におけるシートに発生した皺の補整装置。
【請求項２】
前記テンションカバー（２）（２´）は、カバー本体（２Ａ）と蓋体（２Ｂ）から構成されており、
カバー本体（２Ａ）は、断面形状が短辺部（２ｂ）と長辺部（２ｃ）と、半短辺部（２ｄ）からなる略コ字状で、
該半短辺部（２ｄ）と長辺部（２ｃ）との角部に底板（２ｇ）を留めるドリルビス受け（２ｈ）を形成し、
カバー蓋体（２Ｂ）は、断面形状が半短辺部（２ｄ´）と長辺部（２ｃ´）からなる略Ｌ字状であり、
前記短辺部（２ｂ）の端部に凸条（２ｅ）を設け、前記長辺部（２ｃ´）の端部には凹溝（２ｆ）を設け、
半短辺部（２ｄ´）と長辺部（２ｃ´）との角部に底板（２ｇ）を留めるドリルビス受け（２ｈ）を形成した
ことを特徴とする請求項１記載のシート状防煙垂壁におけるシートに発生した皺の補整装置。
【請求項３】
前記テンションバー（５）（５´）は、
該バー本体（５）の一端に長尺状の板（５ｃ）を設け、該板にはボルト（Ｖ）が挿入するボルト穴（５ｂ）を設け、
該バー本体（５）の他端には不燃シート（３）の端部を固定するシート押さえ（５ｄ）とネジ受け穴（５ｅ）を設け、
該バー本体（５）の後端には、２本の突起条（５ｆ）（５ｆ´）を設けた
ことを特徴とする請求項１記載のシート状防煙垂壁におけるシートに発生した皺の補整装置。
【請求項４】
前記ボルト（Ｖ）は、両ガイド溝内にそれぞれ複数設け、該溝内の適宜な高さに位置に移動自在に設ける
ことを特徴とする請求項１または３記載のシート状防煙垂壁におけるシートに発生した皺の補整装置。
【請求項５】
前記テンションカバー（２）の構造と前記テンションカバー（２´）の構造とは、対称である
ことを特徴とする請求項１または２記載のシート状防煙垂壁におけるシートに発生した皺の補整装置。
【請求項６】
前記テンションバー（５）の構造と前記テンションバー（５´）の構造とは、対称である
ことを特徴とする請求項１または３記載のシート状防煙垂壁におけるシートに発生した皺の補整装置。
【考案の詳細な説明】
【技術分野】
【０００１】
この考案は、シート状防煙垂壁におけるシートに発生した皺の補整装置に関し、特に、補整装置の構造に関するものである。  
【背景技術】
【０００２】
従来、大型店舗（オフィスビル、デパート等）の商業施設には、防煙垂壁を設けて火災の際に天井面に発生する煙に対して煙の移動を防ぐことにより、内部で働く事務員、店員、あるいは訪問客等の生命を守っている。建築基準法によると、延べ面積や階段が所定以上の建築物には防煙垂壁を不燃材料で設けることが義務付けられ、多数の防煙垂壁（仕切り垂壁ともいう）が設けられている。
【０００３】
そして、この防煙垂壁の素材は、ガラス板を用いていたが、地震災害が発生した際、デパートでは店内を逃げ惑う買物客に天井から割れたガラスが降りかかり、頭部をはじめとし身体等に怪我をする恐れがあり、ガラスに代えて不燃性のシート材が用いられるようになった。例えば、特許文献１のように。
【０００４】
そもそも、不燃シートは薄いシート状のものであり、ガラスのように落下しても下を通る通行人が怪我をすることはないし、また、火災時に発生する煙の移動に対しては、ガラスの防煙垂壁同様に防げる。しかし、設置する際には、不燃シートを上部から吊り下げる方式であり、シート面に撓み（皺）が多々発生し、見た目に体裁が悪く、不燃シートの皺を修正する機能を有する装置が必要となった。例えば、特許文献２のように。
【先行技術文献】
【特許文献】
【０００５】
【特許文献１】特開２０１６−５９７２７号公報
【特許文献２】登録第３２０８２３０号実用新案公報
【０００６】
しかし、これらの文献のうち、特許文献１は不燃シートの撓みに対して天井に設けた長尺状の支持枠に、不燃シート上部を挟んで留めるものであり、不燃シートの両脇部には何の配慮もない構成のものであり、また、特許文献２は、特許文献１とは逆に不燃シートの左右両短側には、撓み修正具は設けているが不燃シートの上部には設けておらず、撓みの修正には不十分であった。
【考案の開示】
【考案が解決しようとする課題】
【０００７】
そこで、この考案は、不燃シートの左・右側両端にそれぞれ皺の補整装置を設け、該補整装置を用いて皺を補整するものであり、シート状防煙垂壁におけるシートに発生した皺の補整装置を開発・提供することにある。
【課題を解決するための手段】
【０００８】
この考案のシート状防煙垂壁におけるシートに発生した皺の補整装置は、  
防煙垂壁の設置箇所に、天井面に固定する，天井レールを設け、該天井レールの両端部付近からそれぞれ向かい合った一対の略筒状のテンションカバーを設け、
前記天井レール内には、高透明の不燃シートの上端を、挟持・固定するシート固定具を設け、
前記両テンションカバー内には、それぞれ、テンションバーの収容が可能な空間を画し、且つ、それぞれ躯体側にガイド溝を設け、
前記両テンションカバーが、それぞれ向かい合う側に、部分的に開いたスリットを形成し、
前記両ガイド溝に、ドリルビスを用い、両テンションカバーをそれぞれ躯体に固定し、且つ、前記両ガイド溝に複数個のボルトの頭部を遊嵌着させ、該ボルトの末端部は、テンションバーの一端側に形成したボルト穴を挿通してナットで締付け、
テンションバーの他端側には、不燃シートの側端を、シート押さえを介してネジで挟持・固定し、
前記ナットの締付具合は、不燃シートに発生した皺を見て、両側のテンションバーの複数個のボルトのうち、いずれかのボルトを緊張、あるいは弛緩させ、皺の変化を探り、締付具合を調整して皺を補整する
ことを特徴とする。
【０００９】
また、
前記テンションカバーは、カバー本体と蓋体から構成されており、
カバー本体は、断面形状が短辺部と長辺部と、半短辺部からなる略コ字状で、
該半短辺部と長辺部との角部に底板を留めるドリルビス受けを形成し、
カバー蓋体は、断面形状が半短辺部と長辺部からなる略Ｌ字状であり、
前記短辺部の端部に係止凸条を設け、前記長辺部の端部には凹溝を設け、
半短辺部と長辺部との角部に底板を留めるドリルビス受けを形成した
ことを特徴とする。
【００１０】
さらに、
前記テンションバーは、
該バー本体の一端に長尺状の板を設け、該板にはボルトが挿入するボルト穴を設け、
該バー本体の他端には不燃シートの端部を固定するシート押さえとネジ受け穴を設け、
該バー本体の後端には、２本の突起条を設けた
ことを特徴とする。
【００１１】
さらにまた、
前記ボルトは、両ガイド溝内にそれぞれ複数設け、該溝内の適宜な高さに位置に移動自在に設ける
ことを特徴とする。
【００１２】
また
前記テンションカバーの構造と前記テンションカバーの構造とは、対称である
ことを特徴とする。
【００１３】
そして、
前記テンションバーの構造と前記テンションバーの構造とは、対称である
ことを特徴とする。
【考案の効果】
【００１４】
この考案によると、向かい合うテンションカバー（２）（２´）内にそれぞれ設けたテンションバー（５）（５´）の複数のボルト（Ｖ）とナット（Ｎ）とで、不燃シート（３）の表面を緊張させたり弛緩させることにより皺を両側から補整できる等の効果を奏する。
【００１５】
さらに、前記ボルト（Ｖ）は、複数個を両テンションカバー（２）（２´）のそれぞれガイド溝（５ａ）に遊嵌着しており、不燃シート（３）に発生した皺の状態を見て、該溝内を高さ方向に移動させて、皺の修正が可能な位置で緊張・弛緩させることができ、極めて簡単・迅速に皺の補整ができ、見た目に美麗で体裁のよいシート状の防煙装置を提供できる等の有益なる効果を奏する。
【図面の簡単な説明】
【００１６】
【図１】この考案の一実施例を示し、（Ａ）は、一部を切り欠いた正面図であり、（Ｂ）は、一部を切り欠いた断面図である。
【図２】この考案の一実施例を示す一部を切り欠いた側面図である。
【図３】この考案の一実施例を示す各組み立て部品の平面図である。
【図４】この考案の一実施例を示し、組み上がった状態の断面図である。
【図５】この考案の設置状態を示す斜視他図である。
【考案を実施するための形態】
【００１７】
以下、この考案について詳細に説明する。尚、この考案においては、以下の記述に限定されるものではなく、この要旨を逸脱しない範囲においては適宜変更可能である。
【実施例１】
【００１８】
そこで、この考案の一実施例を図面に基づいて詳述すると、防煙垂壁の設置箇所に、天井面に固定する，天井レール（１）を設け、該天井レールの両端部付近からそれぞれ向かい合った一対の略筒状のテンションカバー（２）、（２´）を設け、前記天井レール（１）内には、高透明の不燃シート（３）の上端を、挟持・固定するシート固定具（４）を設け、前記両テンションカバー（２）（２´）内には、それぞれ、テンションバー（５）（５´）の収容が可能な空間を画し、且つ、それぞれ躯体（Ｘ）側にガイド溝（５ａ）を設け、前記両テンションカバー（２）（２´）が、それぞれ向かい合う側に、部分的に開いたスリット（２ａ）を形成し、前記両ガイド溝（５ａ）に、ドリルビス（Ｄ）を用い、両テンションカバー（２）（２´）をそれぞれ躯体（Ｘ）に固定し、且つ、前記両ガイド溝に複数個のボルト（Ｖ）の頭部（Ｖａ）を遊嵌着させ、該ボルトの末端部は、テンションバー（５）（５´）の一端側に形成したボルト穴（５ｂ）を挿通してナット（Ｎ）で締付け、テンションバー（５）（５´）の他端側には、不燃シート（３）の側端を、シート押さえ（５ｄ）を介してネジ（Ｓ）で挟持・固定し、前記ナット（Ｎ）の締付具合は、不燃シート（３）に発生した皺を見て、両側のテンションバー（５）（５´）の複数個のボルト（Ｖ）のうち、いずれかのボルトを緊張、あるいは弛緩させ、皺に変化を探り、締付具合を調整して皺を補整することを特徴とするシート状防煙垂壁におけるシートに発生した皺の補整装置である。
【００１９】
また、前記テンションカバー（２）（２´）は、カバー本体（２Ａ）と蓋体（２Ｂ）から構成されており、カバー本体（２Ａ）は、断面形状が短辺部（２ｂ）と長辺部（２ｃ）と、半短辺部（２ｄ）からなる略コ字状で、該半短辺部（２ｄ）と長辺部（２ｃ）との角部に底板（２ｇ）を留めるドリルビス受け（２ｈ）を形成し、カバー蓋体（２Ｂ）は、断面形状が半短辺部（２ｄ´）と長辺部（２ｃ´）からなる略Ｌ字状であり、前記短辺部（２ｂ）の端部に係止凸条（２ｅ）を設け、前記長辺部（２ｃ´）の端部には凹溝（２ｆ）を設け、半短辺部（２ｄ´）と長辺部（２ｃ´）との角部にも底板（２ｇ）を留めるドリルビス受け（２ｈ）を形成したことを特徴とする。
【００２０】
さらに、前記テンションバー（５）（５´）は、該バー本体（５）の一端に長尺状の板（５ｃ）を設け、該板にはボルト（Ｖ）が挿入するボルト穴（５ｂ）を設け、該バー本体（５）の他端には不燃シート（３）の端部を固定するシート押さえ（５ｄ）とネジ受け穴（５ｅ）を設け、該バー本体（５）の後端には、２本の突起条（５ｆ）（５ｆ´）を設けたことを特徴とする。
【００２１】
前記ボルト（Ｖ）は、両ガイド溝（５ａ）内にそれぞれ複数設け、不燃シート（３）に皺が発生した場合、その位置に容易に対応ができるように該溝内の適宜な高さ位置に移動が可能となるよう構成している。但し、前記ガイド溝内にドリルビス（Ｄ）が設けられていれば移動位置は制限される。
【００２２】
なお、前記テンションバー（５）に形成したガイド溝（５ａ）は、テンションカバー（２）（２´）を躯体（Ｘ）に固定するドリルビス（Ｄ）の固定位置と、前記ボルト（Ｖ）の固定位置になるものである。
【００２３】
また、前記両テンションカバー（２）（２´）の構造は、一方が他方と対称であるため、図面では、他方を略して一方だけを図３、図４に示したものである。
【００２４】
さらに、前記テンションバー（５）（５´）の構造も、一方が他方と対称であるため、図面では、他方を略して一方だけを図３、図４に示したものである。
【００２５】
次に、この考案の使用方法の一実施例を述べると、両テンションカバー（２）（２´）のそれぞれカバー本体（２Ａ）のガイド溝（５ａ）内に、必要な個数のボルト（Ｖ）の頭（Ｖａ）を遊嵌着させておき、防煙垂壁が必要な箇所に、それぞれガイド溝（５ａ）からドリルビス（Ｄ）でカバー本体（２Ａ）を躯体（Ｘ）に固定する。
しかし、それにより、ガイド溝（５ａ）は前記ドリルビス（Ｄ）で固定されていることによって、ボルト（Ｖ）の上・下方向の移動範囲は制限を受ける。
【００２６】
また不燃シート（３）においては、上端は、天井レール（１）の内部のシート固定具（４）で固定され、水平方向の両端は、前記テンションバー（５）（５´）の他端とそれぞれシート押え（５ｄ）を介してネジ受け穴（５ｅ）にネジ（Ｓ）で締め付け固定される。
【００２７】
さらに、前記テンションバー（５）（５´）は、それぞれ２本の突起条（５ｆ）（５ｆ´）をカバー本体（２Ａ）の長辺部（２ｃ）と当接し、ガイド溝（５ａ）に各ボルト（Ｖ）の頭（Ｖａ）をそれぞれ遊嵌着し、末端部はそれぞれボルト穴（５ｂ）に差込み、ナット（Ｎ）で締め付け固定している。
【００２８】
そして、前記テンションバー（５）の蓋体（２Ｂ）の凹溝（２ｆ）を、カバー本体（２Ａ）の凸条（２ｅ）に差込み、カバー本体（２Ａ）と蓋体（２Ｂ）とを、下部より底板（２ｇ）を介して小ドリルビス（Ｄ´）で、前記カバー本体と蓋体に設けたドリルビス受け（２ｈ）に差込み固定するものである。
【００２９】
不燃シート（３）に皺が発生した際には、一対のテンションカバー（２）（２´）内に設けた複数のボルト（Ｖ）のうち、皺が変化可能な位置にあるボルトに螺合したナット（Ｎ）を緊張・弛緩させて調整することにより皺を補整するものである。
【産業上の利用可能性】
【００３０】
この考案のシート状防煙垂壁におけるシートに発生した皺の補整装置の技術を確立し、実施することにより、産業上利用可能性があるものである。
【符号の説明】
【００３１】
１  天井レール
２，２´  テンションカバー
２Ａ  カバー本体
２Ｂ  蓋体
２ａ  スリット
２ｂ  短辺部
２ｃ，２ｃ´  長辺部
２ｄ，２ｄ´  半短辺部
２ｅ  凸条
２ｆ  凹溝
２ｇ，２ｇ´  底板
２ｈ  ドリルビス受け
３  不燃シート
４  シート固定具
５，５´  テンションバー
５ａ  ガイド溝
５ｂ  ボルト穴
５ｃ  長尺状の板
５ｄ  シート押さえ
５ｅ  ネジ受け穴
５ｆ，５ｆ´  突起条
Ｄ  ドリルビス
Ｄ´  小ドリルビス
Ｖ  ボルト
Ｖａ  頭
Ｓ  ネジ
Ｎ  ナット
Ｖ  ボルト
Ｖａ  頭
Ｘ  躯体
【図１】
0003216129.tif 000003
【図２】
0003216129.tif 000004
【図３】
0003216129.tif 000005
【図４】
0003216129.tif 000006
【図５】
0003216129.tif 000007